(57)【特許請求の範囲】
【請求項１】
カメラを接続可能なカメラクレードルであって、
ネットワーク上のクライアント端末と通信する通信手段と、
前記ネットワーク上のクライアント端末から所定時間アクセスがないことにより前記カメラクレードルに接続されたカメラの充電を開始すると共に、前記カメラの充電中に前記ネットワーク上のクライアント端末からアクセスがあったことにより前記充電を中断する充電手段と、
前記ネットワーク上のクライアント端末から前記所定時間アクセスがないことにより前記充電手段が前記カメラの充電を開始した場合、前記カメラの充電開始を示す開始画像を、前記ネットワーク上のクライアント端末に送信する送信手段とを備えたことを特徴とするカメラクレードル。
【請求項２】
前記カメラクレードルに接続されたカメラから前記開始画像を取得する取得手段を有し、
前記送信手段は、前記ネットワーク上のクライアント端末から前記所定時間アクセスがないことにより前記充電手段が前記カメラの充電を開始した場合、前記カメラから取得された前記開始画像を、前記クライアント端末に送信することを特徴とする請求項１に記載のカメラクレードル。
【請求項３】
前記カメラクレードルに接続されたカメラの電源がオンになったことを検知する電源状況検知手段を有し、
前記送信手段は、前記カメラの電源がオンになったことが前記電源状況検知手段により検知されたことに応じて、電源がオンのカメラが接続された状態であることを示すイベント画像を前記クライアント端末に送信することを特徴とする請求項１又は２に記載のカメラクレードル。
【請求項４】
前記送信手段は、
前記カメラクレードルに接続されたカメラの充電中に前記ネットワーク上のクライアント端末からのアクセスがあったことにより前記充電を中断した場合、前記カメラの充電が中断されたことを示す中断画像を前記ネットワーク上のクライアント端末に送信すると共に、
前記カメラクレードルに接続されたカメラの充電が完了した場合、前記カメラの充電が完了したことを示す完了画像を前記ネットワーク上のクライアント端末に送信することを特徴とする請求項１〜３のいずれか１項に記載のカメラクレードル。
【請求項５】
前記送信手段は、前記ネットワーク上のクライアント端末から前記所定時間アクセスがないことにより前記充電手段が前記カメラの充電を開始した場合、前記カメラの充電開始を示す開始サウンドを、前記ネットワーク上のクライアント端末に送信することを特徴とする請求項１に記載のカメラクレードル。
【請求項６】
画像データを記録する記録手段と、
前記カメラの画像データの前記記録手段への転送開始、及び、前記カメラの画像データの前記記録手段への転送完了を検知する転送状況検知手段とを有し、
前記送信手段は、前記転送状況検知手段による検知結果に応じて、前記カメラの画像データの前記記録手段への転送開始を示す転送開始画像を前記クライアント端末に送信すると共に、前記カメラの画像データの前記記録手段への転送完了を示す転送完了画像を前記クライアント端末に送信することを特徴とする請求項１〜５のいずれか１項に記載のカメラクレードル。
【請求項７】
前記転送開始画像は、前記画像データの転送開始に応じて最初に前記記録手段に記録された画像であり、前記転送完了画像は、前記転送完了が検知されるまでの間で最後に前記記録手段に転送された画像であることを特徴とする請求項６に記載のカメラクレードル。
【請求項８】
前記送信手段は、
前記カメラクレードルに接続されたカメラの充電中に前記ネットワーク上のクライアント端末からアクセスがあったことにより前記充電が中断された場合、前記カメラの充電中断を示す中断サウンドを、前記ネットワーク上のクライアント端末に送信すると共に、
前記カメラクレードルに接続されたカメラの充電が完了した場合、前記カメラの充電完了を示す完了サウンドを、前記ネットワーク上のクライアント端末に送信することを特徴とする請求項１〜７のいずれか１項に記載のカメラクレードル。
【請求項９】
前記アクセスは、前記カメラにより撮像された撮像画像の取得要求であることを特徴とする請求項１〜８のいずれか１項に記載のカメラクレードル。
【請求項１０】
カメラを接続可能なカメラクレードルであって、ネットワーク上のクライアント端末と通信可能なカメラクレードルの制御方法であって、
前記ネットワーク上のクライアント端末から所定時間アクセスがないことにより前記カメラクレードルに接続されたカメラの充電を開始すると共に、前記カメラの充電中に前記ネットワーク上のクライアント端末からアクセスがあったことにより前記充電を中断する充電ステップと、
前記ネットワーク上のクライアント端末から前記所定時間アクセスがないことにより前記充電ステップにおいて前記カメラの充電を開始した場合、前記カメラの充電開始を示す開始画像を、前記ネットワーク上のクライアント端末に送信する送信ステップとを有することを特徴とするカメラクレードルの制御方法。
【請求項１１】
カメラを接続可能なカメラクレードルであって、ネットワーク上のクライアント端末と通信可能なカメラクレードルを制御するコンピュータに、
前記ネットワーク上のクライアント端末から所定時間アクセスがないことにより前記カメラクレードルに接続されたカメラの充電を開始すると共に、前記カメラの充電中に前記ネットワーク上のクライアント端末からアクセスがあったことにより前記充電を中断する充電ステップと、
前記ネットワーク上のクライアント端末から前記所定時間アクセスがないことにより前記充電ステップにおいて前記カメラの充電を開始した場合、前記カメラの充電開始を示す開始画像を、前記ネットワーク上のクライアント端末に送信する送信ステップとを実行させるためのプログラム。
【発明の詳細な説明】
【技術分野】
【０００１】
本発明は、デジタルカメラから画像を取り込みネットワークに配送することのできるカメラクレードル、その制御方法およびプログラムに関する。
【背景技術】
【０００２】
従来からあるカメラクレードル製品は、デジタルスチルカメラを接続し、カメラの内蔵バッテリの充電機能と、ＰＣとのＵＳＢ接続を中継する機能を有するものであった。そして、その使用形態は、ホストＰＣとＵＳＢ接続し、一台のＰＣからカメラを占有して使用するものであった。
【０００３】
それに対して、最近では家庭内ＬＡＮの普及に伴い、ネットワーク接続を持ち、デジカメで撮影された画像をネットワークに公開するようなネットワークファイルサーバ製品も出てきている。
【０００４】
カメラとＰＣの間をＵＳＢ接続した場合のプロトコルには２種類が存在する。一方は、カメラをあたかも外付けの記憶装置であるかのように使用する、ストレージクラスと呼ばれるプロトコルである。前述のネットワークファイルサーバ製品はこちらのプロトコルを使用している。
【０００５】
他方のプロトコルは、ＰＣからカメラとしての機能を制御できるようにしたものであり、ＰＴＰ(Picture Transfer Protocol)と呼ばれ、「ＩＳＯ １５７４０」として標準化されている。このプロトコルでは例えばＰＣからカメラを制御してシャッター撮影することができる。また、このプロトコルのベンダ拡張機能としてファインダ画像をＰＣに表示できるようにした製品がある。
【０００６】
さらに、ＰＴＰをＵＳＢ接続でなくネットワーク接続に拡張した、ＰＴＰ／ＩＰ(Picture Transfer Protocol over Internet Protocol)というプロトコルも提唱されている。
【０００７】
さらに、クレードルを利用したデジタルスチルカメラの新たな利用方法も提案されている。例えば、特許文献１では、デジタルスチルカメラとネットワーク接続機能を持つクレードル装置とを組み合わせ、静止画撮影も可能なネットワークカメラとして使用する技術が公開されている。
【０００８】
また、特許文献２では、デジタルカメラを雲台付きクレードルに接続してテレビ会議用のパンチルト機能付きカメラとして使う技術が公開されている。
【０００９】
これらの技術を利用することにより、手軽な利用方法としては、デジカメクレードルを家庭内ＬＡＮに接続し、カメラの映像をテレビに表示して家族で楽しむような使いかたができる。例えば、ベビーベッドで寝ている赤ちゃんの様子をテレビモニタに表示して見守り監視し、赤ちゃんの愛らしい表情をシャッター撮影する、というような使い方が可能となる。
【００１０】
また、デジタルカメラの利用シーンとは異なるが、ネットワーク接続に関する技術で、ハードディスク上の動画データをサーバ機能でネットワークに公開し、ネットワーク接続したセットトップボックスがクライアントとなり、テレビに動画を表示するものがある。
【００１１】
このようなネットワーク接続型家電製品の相互接続に関する規格としてはＤＬＮＡ（Digital Living Network Alliance）が有名である。ＤＬＮＡ規格では、既存のさまざまなプロトコルが有効活用されており、ネットワークに接続された機器の検出にはＵＰｎＰ(Universal Plug and Play)を使う。また、制御メッセージの交換やファイル転送にはＨＴＴＰ(Hypertext Transfer Protocol)を使うことが定められている。
【００１２】
また、動画データのフォーマットにはＭＰＥＧ２を、静止画フォーマットにはＪＰＥＧをサポートすることが定められている。
【００１３】
【特許文献１】特開２００４−８０２５６号公報
【特許文献２】特開２００３−６０９３７号公報
【発明の開示】
【発明が解決しようとする課題】
【００１４】
しかしながら、上記にあげた従来技術では、デジタルカメラを接続するクレードル特有のイベントに対して考慮されておらず、ネットワーク上のクライアント端末から利用する場合に以下のような不便さがある。
【００１５】
例えばクレードルにカメラが設置されたイベントや、デジタルカメラからのデータ取り込み完了イベント、クレードルに設置したカメラの充電完了イベントについて考慮されていない。そのため、これらのイベントについては、ユーザが自分で注意しなければならいという不便さがあった。
【００１６】
また、ネットワーク上に接続された機器を区別して表示する方法についても、同一種類の機器の場合には、ホスト名やＩＰ番号あるいはシリアル番号といったテキスト文字列での表示でしか区別できない。そのため、離れた距離からテレビ画面を見るユーザには見えづらいという不便さがあった。
【００１７】
本発明は、上記問題を解消し、使用性に優れたカメラクレードル、その制御方法およびプログラムを提供することを目的とする。
【課題を解決するための手段】
【００１８】
本発明のカメラクレードルは、カメラを接続可能なカメラクレードルであって、ネットワーク上のクライアント端末と通信する通信手段と、前記ネットワーク上のクライアント端末から所定時間アクセスがないことにより前記カメラクレードルに接続されたカメラの充電を開始すると共に、前記カメラの充電中に前記ネットワーク上のクライアント端末からアクセスがあったことにより前記充電を中断する充電手段と、前記ネットワーク上のクライアント端末から前記所定時間アクセスがないことにより前記充電手段が前記カメラの充電を開始した場合、前記カメラの充電開始を示す開始画像を、前記ネットワーク上のクライアント端末に送信する送信手段とを備えたことを特徴とする。
【発明の効果】
【００１９】
本発明によれば、クレードルにカメラを設置したこと、データの転送が完了したこと、及びカメラバッテリの充電が完了したことを、離れた場所にあるネットワークに接続したクライアントに知らせることができる。しかも、どのカメラのイベントか、どの撮影画像か等のより詳しい情報が、オープニング画像やオープニングサウンド、及びデータ転送した画像の先頭画像や最終画像等のわかりやすい情報で確認することができる。
【発明を実施するための最良の形態】
【００２０】
以下、添付の図面を基に本発明の好適な実施形態を説明する。図１は本発明の一実施形態に関わるカメラクレードル及びカメラクレードルに接続するデジタルスチルカメラのブロック図を示す。なお、カメラクレードルに接続するカメラのハードウェア構成は従来技術によるデジタルスチルカメラと同じである。また、以下、カメラクレードルを単にクレードルと称す。
【００２１】
１０００は本発明のクレードル、１００はクレードル全体の動作を統括するシステムコントローラ（シスコン）、１０１はシスコン１００の動作プログラム及び設定値を格納するフラッシュメモリである。
【００２２】
１０２は一時的なデータを記憶しておくＲＡＭ、１０３はＩ／Ｏポート制御回路、１０４はカメラがクレードルに接続されたことを検知する検知スイッチ、１０５はクレードル１０００からデジタルカメラの電源をＯＮ制御するための制御信号用コネクタである。
【００２３】
１０６はユーザがボタン操作してクレードル１０００に指示を送るためのソフトスイッチ、１０７はデジタルカメラ内蔵のバッテリを充電するための充電用コネクタ、１０８はデジタルカメラをＵＳＢケーブルで接続するためのＵＳＢコネクタである。
【００２４】
１０９はＵＳＢへの供給電流の制御とバッテリの充電を制御する充電制御回路、１１０はデジタルカメラと通信してクレードル１０００からデジタルカメラを制御し、デジタルカメラから画像データを受信するためのＵＳＢホストコントローラである。
【００２５】
また、制御信号用コネクタ１０５、充電用コネクタ１０７、及びＵＳＢコネクタ１０８は、一体化された外観を持つコネクタ１１１として構成される。１１４はネットワーク上のクライアント端末と通信するためのＬＡＮコントローラ、１１５はネットワークケーブルを接続するためのＬＡＮコネクタであり、具体的にはＲＪ４５コネクタで構成される。
【００２６】
１１６はカメラから受信した画像データやカスタマイズデータを格納する内蔵ハードディスク、１１７はハードディスクインタフェース（ハードディスクi/f）、１１８は音声コーデック、１１９はアンプ、１２０は内蔵スピーカである。
【００２７】
１２１はシステムコントローラ１００から制御されるモータドライバで、パンモータ１２２及びチルトモータ１２３を駆動制御する。
【００２８】
２０００はクレードルに接続するデジタルスチルカメラ、２００はデジタルカメラ２０００全ての動きを統括して制御するシステムコントローラである。
【００２９】
２０１はシステムコントローラのプログラムや、ユーザ設定情報、及びカスタマイズ用の画像データやサウンドファイルを格納するフラッシュメモリ、２０２はシステムコントローラ２００の使用する一時記憶データを格納するＲＡＭである。
【００３０】
２０３は光学信号を電気信号に変換し、デジタル信号として画像を取り込む画像撮像部、２０４は撮像部２０３から入力されるデジタル画像信号を解像度変換や色変換などの変換を行った後に圧縮符号化する画像処理部である。
【００３１】
デジタルカメラ２０００単独で撮影する場合には、画像処理後の画像データは外部記憶インタフェース２０６を介してＳＤメモリカード２０７に格納される。
【００３２】
また、画像処理部２０４は、撮像部２０３からのファインダ表示用画像やシステムコントローラ２００からのメニュー画像を画面表示部２０８に送る。画面表示部２０８は画像処理部２０４からの画像をファインダに表示する。
【００３３】
２０９はＵＳＢコネクタ２１０を介して外部のＵＳＢホスト機器と通信を行なうためのＵＳＢデバイスコントローラ、２１１はクレードルからの電力をバッテリ２１２に供給するための充電用コネクタである。
【００３４】
２１３はクレードルからカメラ２０００の電源オン・オフを制御するための制御信号を接続するコネクタ、２１５はコネクタ２１３に接続されたクレードルから、システムコントローラ２００の制御により、カメラの電源状態を制御する電源制御部である。
【００３５】
ＵＳＢコネクタ２１０、充電用コネクタ２１１、及びコネクタ２１３は一体化された形状を持つコネクタ２１４として構成される。クレードルに接続された場合に、システムコントローラ２００は、クレードルとＵＳＢで通信を行い、クレードルのシスコン１００からの指示にしたがって、シャッター撮影や画像データの転送などの処理を行なう。
【００３６】
このとき、ファインダ画像や静止画撮影画像は画像処理部２０４で圧縮符号化された後にいったん画像メモリ２０５に格納される。その後に、ＵＳＢ接続されたホスト機器からのコマンド指示により、ＵＳＢインタフェースでクレードルに送信され、クレードル内部のハードディスク１１６に格納される。
【００３７】
なお、クレードルから制御される場合でも、クレードルシスコン１００からの指示によってカメラシスコン２００の撮影モードを変更することにより、シャッター撮影画像をＳＤメモリカードに記録させることも可能である。
【００３８】
図７に本発明のクレードルをネットワークに接続して使用する場合のシステム構成例を示す。図７では、ＨＵＢ７０２を介して、クレードル７０１、クライアントＰＣ７０３、映像通信端末７０４がネットワーク接続されている。
【００３９】
クライアントＰＣ７０３は、クレードル７０１と通信して、クレードル７０１に接続されたデジタルカメラのシャッタ撮影機能を制御する機能や、カメラのファインダ画像をリアルタイム表示する機能、蓄積された映像を取得して表示する機能を有する。なお、これらの機能は、クライアントＰＣ７０３にアプリケーションソフトウェアをインストールすることで実装される。
【００４０】
映像通信アダプタ７０４はクレードル７０１と通信してカメラを制御する機能、カメラのファインダ画像、撮影画像、及び蓄積映像を取得してテレビ画面に表示する機能を有する。
【００４１】
テレビ７０５は映像出力端子および音声出力端子で接続され、テレビに映像と音声を出力する。また、映像通信アダプタ７０４はチューナー機能を内蔵し、通常のテレビ放送画面と自らのメニュー表示やクレードル７０１から受信した画像の切り替え表示や、重ね合わせ表示を行なう。
【００４２】
（クレードル検知）
最初に、クレードルの存在をテレビに通知する処理を簡単に説明する。
【００４３】
クレードルの電源が入ると、クレードルはネットワークに自分の存在を示すパケットを流す。このパケットは所定のＵＤＰポート番号に対してＵＤＰパケットをネットワーク上の所定のマルチキャストアドレス宛てに送信する。
【００４４】
テレビに接続された映像通信アダプタは、所定のＵＤＰポート番号でパケットを受信待ちしている。パケットを受信すると、クレードルと通信アダプタの間でデバイス能力の交換が行われる。
【００４５】
クレードルは映像通信端末をクライアント端末として認識し、映像通信端末はクレードルをカメラクレードルとして認識する。ここまでは、従来技術によるデバイスの検出と能力交換手順である。
【００４６】
さらに、クレードルは、カメラが接続されていない状態であることを映像受信端末に知らせるとともに、カメラが接続されていない状態を示すアイコン画像（イベント画像）を送信する。映像受信端末は、受信したアイコン画像をテレビ画面に表示する。
【００４７】
図８Ａに、映像通信端末がクレードルを受信したときの表示画面の例を示す。画面左下のアイコンがクレードルから受信したアイコン画像である。
【００４８】
（カメラ接続イベント通知）
図２にクレードルにカメラが接続された場合のフローを示す。
【００４９】
ユーザがデジタルカメラを接続コネクタ１１１に装着すると、カメラ接続検知スイッチ１０４が押され、システムコントローラ１００はカメラの接続を検知する（ステップＳ１０１、カメラ接続検知手段）。
【００５０】
シスコン１００は電源制御ポート１０５の状態を調べる（ステップＳ１０２）。
【００５１】
カメラの電源がＯＦＦであれば、ポート１０５の出力を制御してカメラの電源をＯＮにする（ステップＳ１０３、カメラ電源制御手段）。カメラの電源がＯＮであれば、ステップＳ１０４に進む。
【００５２】
カメラの電源がＯＮされると、ＵＳＢホストコントローラ１１０でＵＳＢデータラインの信号レベルの変化が検出され、シスコン１００はデバイスの接続を検知する（ステップＳ１０４）。
【００５３】
シスコン１００はＵＳＢホストコントローラを制御して、ＵＳＢの初期化手順であるデバイスの構成処理を行なう。
【００５４】
その後、カメラから取得したＵＳＢ記述情報の内のプロトコル識別情報により、カメラがＰＴＰ（Picture Transfer Protocol）プロトコルをサポートすることを認識する。そして、さらにＰＴＰプロトコルによるデバイス情報の取得フェーズを経て、通信セッションの確立を行なう（ステップＳ１０５）。
【００５５】
通信セッションが確立されると、カメラのモデル名、メーカ名、ファームウェアバージョン番号、シリアル番号からなるカメラに関する情報を取得し、クレードルの内部メモリ１０２に記憶する（ステップＳ１０６、カメラ情報取得手段）。
【００５６】
クライアント端末に、カメラ接続状態を示すアイコン画像（第１のイベント画像）およびカメラのモデル名とともに、カメラの接続を通知する（ステップＳ１０７）。
【００５７】
映像受信端末は、受信したアイコン画像とカメラモデル名をテレビ画面に表示する。
【００５８】
図８Ｂに、映像通信端末がアイコンを受信したときの表示画面の例を示す。画面左下のアイコンがクレードルから受信した、カメラが接続された状態を示すアイコン画像である。
【００５９】
続いて、デジタルカメラに設定されている特定のカスタマイズ情報である、所有者名、マイ画像、マイサウンド、充電開始画像等の静止画像、充電開始サウンド、充電中断画像、充電中断サウンド、充電完了画像、充電完了サウンドのデータをカメラから取得する。そして、内蔵ハードディスク１１６に格納する（ステップＳ１０８、カスタマイズ情報取得手段）。
【００６０】
カメラが利用可能になったことをクライアント端末に知らせるために、カメラから取得したカスタマイズ情報の内の所有者名、マイ画像、マイサウンドのデータを含むカメラ接続完了イベントをネットワークに通知する（ステップＳ１０９）。
【００６１】
映像受信端末は、受信したカスタマイズ情報をメモリに記憶しておく。ユーザが映像受信端末の操作リモコンでクレードルアイコンを選択すると、クレードルから受信したマイ画像が表示されると共にマイサウンドがテレビのスピーカから流れる。
【００６２】
図８Ｃに、このときのテレビ画面の表示例を示す。左下のクレードルアイコンの背景かつテレビ画面の前景に表示されている画像が、クレードルから受信したマイ画像である。
【００６３】
（データ転送完了イベントの通知）
ユーザがカメラをクレードルに接続して行なう操作の一つに、撮影した画像の取り込みがある。外出先で撮影した画像をクレードルの内臓ハードディスクに格納してしまえば、その後はカメラのＳＤカードの中身を消去して空にし、新たに撮影することができる。
【００６４】
また、クレードルの内蔵ハードディスクに格納した画像を、ネットワークに接続した映像受信端末を操作してテレビ画面に表示して鑑賞することが可能となる。
【００６５】
図３にカメラからクレードルに撮影画像を転送する場合の処理を示す。クレードルのソフトスイッチ１０６には、カメラからクレードルへの撮影データコピー機能が割り当てられている。
【００６６】
ユーザがソフトスイッチ１０６を押下するとシスコン１００は撮影データのコピー指示を受け付ける（ステップＳ２０１）。
【００６７】
そして、カメラからファイル名、ファイルフォーマット、撮影日時、サイズを含む撮影データ情報を取得する（撮影画像取得手段）。取得した情報を内蔵ハードディスク１１６に格納されている撮影データのデータベースと比較し、取り込み済みか否かを判断する（ステップＳ２０２）。
【００６８】
まだ取得していない画像データであれば、カメラから画像を取得して、撮影データと共に内蔵ハードディスクに格納する（ステップＳ２０３）。
【００６９】
この後、コピーボタンが押されてから最初の画像取得であるか否かで処理が分かれる（ステップＳ２０４）。
【００７０】
最初の画像取得の場合は、先頭画像としてメモリ１０２に画像データとサムネイルデータを格納する。メモリに格納した先頭画像データ（転送開始を示す第５のイベント画像）と共に、データ転送開始イベントをネットワーク上のクライアント端末に通知する（ステップＳ２０５）。
【００７１】
次に、取得した画像データが取り込むべき最後のデータか否かを判断する（ステップＳ２０６）。最後の画像でなければステップＳ２０３に進み、引き続き画像データを取得する。先頭画像でないので、ステップＳ２０４からステップＳ２０６に進む。
【００７２】
取得した画像が最終画像であれば、取得した画像データとサムネイルデータをメモリ１０２に格納する。
【００７３】
メモリに格納した最終画像（転送完了を示す第６のイベント画像）と共にデータ転送の完了イベントをネットワーク上のクライアント端末に通知する（ステップＳ２０７）。
【００７４】
図８Ｅに、映像受信端末が作成するテレビ画面の表示例を示す。画面左上に表示されている画像が転送された先頭画像、画面右下に表示されているのが転送された最終画像である。映像受信端末のリモコンで表示消去を選択するか、所定の時間経過すると、画面表示は消えてもとのテレビ画面だけの表示に戻る。
【００７５】
（バッテリ充電完了イベントの通知）
クライアントから一定時間アクセスが無いと、クレードルはカメラバッテリの充電を開始する。図４にバッテリ充電時の処理を示す。
【００７６】
カメラのビューファインダ画像の取得や、撮影画像の取得など、クライアントからクレードルへのアクセスがある場合は、充電処理を開始しない（ステップＳ３０１）。
【００７７】
クライアントからのアクセスがなくなると、所定の待ち時間をセットしてタイマーをスタートさせる（ステップＳ３０２）。
【００７８】
所定の時間が経過したかを判断する（ステップＳ３０３）。経過してない場合には、ステップＳ３０４に進む。クライアントからのアクセスがなければステップＳ３０３に戻り、所定時間が経過するのを待つ。
【００７９】
所定の時間が経過する前にクライアントからのアクセスがあると、タイマーを停止し（ステップＳ３０５）、ステップＳ３０１に戻る。所定の待ち時間が経過すると、タイマーイベントが発生する。
【００８０】
シスコン１００は充電制御回路１０９に充電開始を指示し、充電用コネクタ１０７、２１１を介してバッテリ２１２に電圧が印加され、充電が開始される（ステップＳ３０６）。
【００８１】
内蔵ハードディスク１１６に格納されていた充電開始画像（第２のイベント画像）と充電開始サウンドを付加データとして、クライアント端末に充電開始イベントを通知する（ステップＳ３０７）。充電制御回路１０９はバッテリの電圧をチェックしており、所定の電圧に達すると充電を停止し、充電完了をシスコン１００に知らせる。
【００８２】
シスコン１００は充電が完了したか否かを判断する（ステップＳ３０８、充電完了検知手段）。完了していない場合には、充電中にクライアントのアクセスがあるか判断し（ステップＳ３０９）、アクセスがない間は充電を継続する。
【００８３】
クライアントからのアクセスがあり、フル充電と判断したら充電処理を中断（ステップＳ３１０）する。内蔵ハードディスク１１６に格納されている充電中断画像（第４のイベント画像）と充電中断サウンドを付加データとして、クライアント端末に充電中断イベントを通知して（ステップＳ３１１）、ステップＳ３０１に戻る。
【００８４】
ステップＳ３０８で充電が完了すると、ハードディスク１１６に格納されている所有者名、充電完了画像（第３のイベント画像）、充電完了サウンドと共に充電完了イベントを、ネットワーク上のクライアント端末に通知する（ステップＳ３１２）。
【００８５】
図８Ｄに、充電完了イベントを受信したときに映像受信端末が作成するテレビ画面の表示例を示す。クレードルから受信した充電完了を示す画像が表示されると共に充電完了を示す音楽がテレビのスピーカから流れる。
【００８６】
映像受信端末のリモコンで表示消去を選択するか、所定の時間経過すると、画面表示は消えてもとのテレビ画面だけの表示に戻る。
【００８７】
（イベント通知データフォーマット）
図５Ａにクレードルからネットワーク上のクライアント端末に通知を送る場合のデータフォーマットを示す。先頭から順に、イベントの種類を表すイベントコード、コードごとの詳細情報を示すイベントパラメータ、付加データの個数と続いて、最後に付加データが指定された個数分だけ続く。
【００８８】
図５Ｂに付加データのフォーマットを示す。先頭から順にデータ種別、データフォーマット、データ長、データ本体と続く。
【００８９】
図６（ａ）にクレードルでサポートするイベントコードの例を示す。カメラが接続されてクライアントから利用可能になったことを示すイベント、カメラ利用不可イベント、静止画撮影の開始、静止画撮影の終了、ファインダ画像の送信開始、送信停止、カメラからクレードルの内蔵ハードディスクへの撮影データ転送開始、撮影データ転送完了、充電の開始、充電中断、充電完了などのイベントがある。
【００９０】
図６（ｂ）にはデータ種別の種類を示す。カメラに撮影されたカスタマイズデータとしては、マイカメラ画像、マイカメラサウンド、マイカメラムービー、カメラ所有者情報がある。カメラ固有のデータとしては、カメラモデル名、カメラメーカ名、カメラシリアル番号、カメラファームウェアバージョン番号がある。クレードルのカスタマイズ情報として、クレードル所有者名、マイクレードル画像、マイクレードルサウンド、マイクレードルムービーがある。クレードル固有データには、クレードルモデル名、クレードルメーカー名、クレードルシリアル番号、クレードルファームウェアバージョン番号がある。
【００９１】
図６（ｃ）には、データフォーマットの例を示す。テキストデータ、画像データではＪＰＥＧおよびＣＣＤ ＲＡＷデータ、音楽データでは、ＷＡＶおよびＭＰ３、映像データではＭＰＥＧ４およびＤＶファーマットをサポートしている。
【００９２】
以上により本発明の一実施形態の詳細を説明した。なお説明中で、カメラの接続を検知したときに、カスタマイズ情報としてマイ画像およびマイサウンドをカメラから取得してクライアント端末に通知するように説明した。これに代えて、カメラの電源をＯＮしたときにカメラのファインダ画面に表示（再生）されるオープニング画面及びオープニングサウンドを使用しても良い。
【図面の簡単な説明】
【００９３】
【図１】本発明の実施の形態に係るカメラ及びクレードルのブロック図である。
【図２】本発明の実施の形態に係るクレードルにカメラが接続された場合の動作を説明するためのフローチャートである。
【図３】本発明の実施の形態に係るクレードルを含むシステムにおいてデータ転送完了イベントを通知する際の動作を説明するためのフローチャートである。
【図４】本発明の実施の形態に係るクレードルを含むシステムにおいてファイル転送完了イベントを通知する際の動作を説明するためのフローチャートである。
【図５Ａ】本発明の実施の形態に係るクレードルを含むシステムにおいてイベント通知パケットのデータフォーマットの一例を示す図である。
【図５Ｂ】本発明の実施の形態に係るクレードルを含むシステムにおいてイベント通知パケットの付加データフォーマットの一例を示す図である。
【図６】本発明の実施の形態に係るクレードルを含むシステムにおいてのイベントコードの種類、データ種別、及びデータフォーマットの一例を示す図である。
【図７】本発明の実施の形態に係るクレードルを含むシステムの接続例を示す図である。
【図８Ａ】本発明の実施の形態に係るクレードルを含むシステムにおいてクレードルが検知されたときのテレビ画面の一例を示す図である。
【図８Ｂ】本発明の実施の形態に係るクレードルを含むシステムにおいてカメラが検知されたときのテレビ画面の一例を示す図である。
【図８Ｃ】本発明の実施の形態に係るクレードルを含むシステムにおいてカメラカスタマイズ画像の表示の一例を示す図である。
【図８Ｄ】本発明の実施の形態に係るクレードルを含むシステムにおいて充電完了画像の表示の一例を示す図である。
【図８Ｅ】本発明の実施の形態に係るクレードルを含むシステムにおいてデータ転送完了画像の表示の一例を示す図である。
【符号の説明】
【００９４】
１０００  カメラクレードル
１００  システムコントローラ（シスコン）
１０１  フラッシュメモリ
１０２  ＲＡＭ
１０３  Ｉ／Ｏポート制御回路
１０４  カメラ接続検知スイッチ
１０５  カメラ電源制御ポート
１０６  ソフトスイッチ
１０７  充電用コネクタ
１０８  ＵＳＢコネクタ
１０９  充電制御回路
１１０  ＵＳＢホストコントローラ
１１１  コネクタ
１１２  ＡＣ電源コネクタ
１１３  電源回路
１１４  ＬＡＮコントローラ
１１５  ＬＡＮコネクタ
１１６  ハードディスク
１１７  ハードディスクインタフェース
１１８  音声コーデック
１１９  アンプ
１２０  内蔵スピーカ
１２１  モータドライバ
１２２  パンモータ
１２３  チルトモータ
７０１  クレードル
７０２  ＨＵＢ
７０３  クライアントＰＣ
７０４  映像通信アダプタ
７０５  テレビ
２０００  デジタルカメラ
【図１】
0004834530.tif 000002
【図２】
0004834530.tif 000003
【図３】
0004834530.tif 000004
【図４】
0004834530.tif 000005
【図５Ａ】
0004834530.tif 000006
【図５Ｂ】
0004834530.tif 000007
【図６】
0004834530.tif 000008
【図７】
0004834530.tif 000009
【図８Ａ】
0004834530.tif 000010
【図８Ｂ】
0004834530.tif 000011
【図８Ｃ】
0004834530.tif 000012
【図８Ｄ】
0004834530.tif 000013
【図８Ｅ】
0004834530.tif 000014